(57)【要約】【課題】水を効率良く活性化できる活水器を提供する。【解決手段】水道から水を取り入れて、活水器の容器本体の底部に水を導入する導入パイプと、容器本体に導入された水を渦流とするスパイラル・ブレードと、底部から上昇する水を活水化するセラミックスと、活水化した水を外部に取り出す導出パイプとを備えている。また、スパイラル・ブレードが、容器本体の内部に縦方向に設けられると共に、セラミックスが記スパイラル・ブレードの羽に沿って上昇するように設けられている。これにより、スパイラル・ブレードで水を渦流とし、渦流状態の水をセラミックスに接触させて活水化の効率を向上させる。【選択図】図１
2006181518.tif 000002
【特許請求の範囲】
【請求項１】
略円筒形状の容器を据え置いて水を活水化する据え置き型の活水器において、
前記活水器は、水道から水を取り入れて、前記活水器の容器本体の底部に水を導入する導入パイプと、前記容器本体に導入された水を渦流とするスパイラル・ブレードと、前記底部から上昇する水を活水化するセラミックスと、活水化した水を前記容器本体の外部に取り出す導出パイプとを備えていることを特徴とする活水器。
【請求項２】
前記導入パイプの内部には前記スパイラル・ブレードが設けられ、これを前記容器本体内部の略中央部で、前記容器本体の底から間隔を開けて設けられていることを特徴とする請求項１に記載の活水器。
【請求項３】
前記容器本体は、その底部に水を貯留する貯留空間を有し、前記容器本体の内部に取り込まれた水が、前記貯留空間で貯留された後に、前記セラミックスの層を浸すように構成されていることを特徴とする請求項１または２に記載の活水器。
【請求項４】
前記セラミックスの層は、前記導入パイプに螺合させて設けたパンチプレートの上に設けられていることを特徴とする請求項３に記載の活水器。
【請求項５】
前記スパイラル・ブレードが、前記容器本体の内部に縦方向に設けられると共に、前記セラミックスが、前記スパイラル・ブレードの羽に沿って上昇するように設けられていることを特徴とする請求項１に記載の活水器。
【請求項６】
前記スパイラル・ブレードは、前記導入パイプの長手方向の軸線に沿って捩じった形状の羽が３枚設けられていることを特徴とする請求項１乃至５のいずれかに記載の活水器。
【発明の詳細な説明】
【技術分野】
【０００１】
本発明は、水を活性化させて所定の機能が発揮できるようにする活水器に関する。
【背景技術】
【０００２】
活性化された水は、これを洗濯水として利用することやトイレで使用すること、植物の栽培に利用すること等により、それぞれ有効に機能する。また、活性水を飲料水とした場合には、美味しい水となるばかりか人体の健康に有益なものとなる。一方、このような活性水を得る手段は、水に遠赤外線を放射することや、活性化物質に水を接触させることで、水を励起させて生成できる。このような水の励起状態は、水分子をイオン化することで達成される。特開２００１−５８１９１号公報には、水道配管に介装できる筒体の内側に水の改質物を収容したケースを挿入設置し、改質物が加圧状態で、かつ可動とした活水器が開示されている。また、特許第３０８１１７７号公報に記載の活水器は、パイプ状のケース内に遠赤外線を放射する活性体を収容し、ケース内に水を流通させて活性体を振動させ、活性体から放射される遠赤外線により水をイオン化して活性化させるものである。この活水器は、活性体を振動させる手段として、二以上の受板をケースの軸方向に間隔を設けて配置させているものである。そして、ケース内に水が流通するとその水流によって受板がケース内を上昇し、流通が停止すると降下するように配置されている。しかし、活性化効率を向上させるためには、受板の位置を頻繁に変化させる必要がある。
【特許文献１】特開２００１−５８１９１号公報
【特許文献２】特許第３０８１１７７号公報
【発明の開示】
【発明が解決しようとする課題】
【０００３】
解決しようとする問題点は、水を効率良く活性化できる活水器を提供する。
【課題を解決するための手段】
【０００４】
本発明の請求項１は、略円筒形状の容器を据え置いて水を活水化する据え置き型の活水器において、前記活水器が水道から水を取り入れて、前記活水器の容器本体の底部に水を導入する導入パイプと、前記容器本体に導入された水を渦流とするスパイラル・ブレードと、前記底部から上昇する水を活水化するセラミックスと、活水化した水を前記容器本体の外部に取り出す導出パイプとを備えていることを特徴とする。
請求項２の発明は、前記導入パイプの内部に前記スパイラル・ブレードが設けられ、これを前記容器本体内部の略中央部で、前記容器本体の底から間隔を開けて設けられていることを特徴とする。
請求項３の発明は、前記容器本体がその底部に水を貯留する貯留空間を有し、前記容器本体の内部に取り込まれた水が、前記貯留空間で貯留された後に、前記セラミックスの層を浸すように構成されていることを特徴とする。
請求項４の発明は、前記セラミックスの層が、前記導入パイプに螺合させて設けたパンチプレートの上に設けられていることを特徴とする。
【０００５】
請求項５の発明は、前記スパイラル・ブレードが、前記容器本体の内部に縦方向に設けられると共に、前記セラミックスが、前記スパイラル・ブレードの羽に沿って上昇するように設けられていることを特徴とする。
請求項６の発明は、前記スパイラル・ブレードが、前記導入パイプの長手方向の軸線に沿って捩じった形状の羽が３枚設けられていることを特徴とする。
【発明の効果】
【０００６】
水道から取り入れられた水は、容器本体の底部から徐々に上昇する過程でセラミックスと接触するが、パイラル・ブレードで水が渦流状態となっていることにより、接触状態が異なる。このように、水が渦流状態でセラミックスと接触した場合には、活性化効率が良い活水器となる。また、スパイラル・ブレードを備えた導入パイプは、容器本体の中央の底から間隔を開けて設けられていることにより、水が容器本体の底部に導水された際に渦流となり、渦流状態で水を上昇させることができる。
水はセラミックス層の下方より上方に徐々に満たされていくが、導入パイプより導水された後に、一旦、水が貯留されるので、セラミックスに水が急激に接触することがなく、セラミックスを痛めることがない。パンチプレートは、上下方向に移動可能なものとすることにより、貯留空間の広さやセラミックスの層の厚さが、適宜調整できるものになる。
【０００７】
セラミックスがスパイラル・ブレードの羽に沿って上昇するように設けられていることにより、水圧によりセラミックスは上方に舞い上がると共に、自重で下方に落下する。この繰り返しが容器本体内部で起きるのでセラミックスはエネルギーを得て、これを水の活性化に役立てることができる。また、セラミックスは、相互に衝突すること、スパイラル・ブレードや容器本体の内壁等に衝突することを繰り返し水を活水化する。
スパイラル・ブレードの羽は３枚設けることにより、活水化効率が向上する。
【発明を実施するための最良の形態】
【０００８】
本発明の活水器は、水道から水を活水器の容器本体に取り入れて、取り入れられた水をスパイラル・ブレードとセラミックスとで活水するものである。即ち、スパイラル・ブレードで水を渦流とし、渦流状態の水をセラミックスに接触させて活水化の効率を向上させる。
【実施例１】
【０００９】
図１は実施例１における活水器１０を示した説明図であり、部分的に透視させて内部構造を図示したものである。この活水器１０は、その容器本体１が略円筒形状の据え置き型の活水器である。そして、水を活性化するセラミックス４は上下のパンチプレート５間に充填され、容器本体１の下方側及び容器本体１の上方側には、僅かな空間が残されている。パンチプレート５は水の通過を許容する細孔５ａが設けられたものであり、後述する導入パイプ２に取り付けられる。
【００１０】
水を導入する導入パイプ２は略ｎ字形状に形成され、水の導出側にスパイラル・ブレード６が設けられている。詳述すると、導入パイプ２は、水の導入側の端部（導入口２ａ）が、容器本体１の下方において外側に突出させて設けられ、且つ、水の導出側の端部２ｂが容器本体１の略中央部下方において、その開口部を下方に向けて、底部より若干の隙間を有した状態で設けられている。そして、上述したスパイラル・ブレード６は、水の導出側で下向き部分の導入パイプ２内に設けられたものである。
【００１１】
水を導出する導出パイプ３は、生成したの活性水を容器本体１の下方から取り出せるように、その導出口３ａを容器本体１の外部で導入口２ａと並列させて設けられ、容器本体１の天井部分で活性化された水が収集されるように、水の通過ができる細孔３ａを多数備えたものである。
【００１２】
図２はスパイラル・ブレード６を説明するものであり、（ａ）は平面図、（ｂ）は正面図である。そして、この図２の（ａ）に示すように、スパイラル・ブレード６は、羽８が捩じった形状で３枚設けられたものであり、且つ、図２の（ｂ）のように、それぞれの羽８は等間隔で螺旋を描き導入パイプ２の長手方向の軸線に沿って設けられている。
【００１３】
次に、図１を参照して水の流路（図中、矢印で示す。）を説明する。水は、水道に導入口２ａが繋がれて蛇口が開かれると、導入口２ａより導入パイプ２を通り、一旦上昇した後に、容器本体１の上方から下方に向って落下する。この際、水の導出側にスパイラル・ブレード６が設けられていることにより、水は単なる落下ではなく、スパイラル・ブレード６により渦流となって落下する。そして、水は、次第に貯留されて上昇するが、渦流状態は容器本体１の底部でも発生しており、この渦流状態が、パンチプレート５の細孔５ａを通過した後でも継続する。これにより、水は、渦流状態でセラミックスと接触してセラミックスの層を通過するので、活性化効率が良い活水器となる。
【実施例２】
【００１４】
図３は実施例２における活水器１０を断面で示した説明図である。この活水器１０は、容器本体１の上方に、導入パイプ２の導入口２ａと導出パイプ３の導出口３ａとが設けられたものであり、導入パイプ２のスパイラル・ブレード６が設けられている部分は、ネジで螺合されて取り付けられ取り外し自在である。また、水を活性化するセラミックス４は、下方のパンチプレート５の上に積み重ねられ、パンチプレート５は、導入パイプ２の外周壁に螺合されていることにより、上下方向の移動が可能に構成されている。容器本体１の上方において、導出パイプ３は、導出パイプ３を斜めに切断することで開口させた開口部３ｂを有している。そして、水は渦流状態で、下方より上方に貯留される過程で活性化され、導出パイプ３より取り出される。
【００１５】
図４は実施例３における活水器１０を断面で示した説明図である。この活水器１０はスパイラル・ブレード６が、容器本体１の内部に縦方向に設けられ、且つ、セラミックス４がスパイラル・ブレード６の羽に蓄積されて充填されている。このように構成された活水器１０において、水は導入パイプ２から供給されるが、水圧でセラミックス４がスパイラル・ブレード６の羽に沿って上昇するようになる。しかし、水圧の変化によって、セラミックス４は、その自重で下方に落下する。この繰り返しが容器本体内部で起きることにより、セラミックス４はエネルギーを得、これを水の活性化に役立てることができる。即ち、セラミックス４は、相互に衝突すること、スパイラル・ブレード６や容器本体１の内壁等に衝突することを繰り返し、エネルギーを得て水を活水化する。
以上、説明したとおり、本発明の活水器１０はスパイラル・ブレード６とセラミックス４とで水を活水化するものである。また、実施例２、３において、実施例１と同一構成の部分においては、その説明を省略した。
【００１６】
尚、セラミックス４は、水を活水化するセラミックスであり、一例として、ＳｉＯ２、Ａｌ２Ｏ３、Ｆｅ２Ｏ３、ＴｉＯ２、ＣａＯ、Ｋ２Ｏ、Ｎａ２Ｏ、ＭｇＯ、ＭｎＯ２などの無機材料を少なくとも含んだ状態で、燒結して球状に形成したものが利用できる。水の活水化については、水のクラスターを小さくすることや、セラミックスの表面にマイナスイオンを帯電させ、水をマイナスイオン水とすることなど、セラミックスの種類を選択して好適なものとする。
【図面の簡単な説明】
【００１７】
【図１】活水器を示した説明図である。（実施例１）
【図２】スパイラル・ブレードを示す（ａ）は平面図（ｂ）は正面図である。
【図３】活水器を示した説明図である。（実施例２）
【図４】活水器を示した説明図である。（実施例３）
【符号の説明】
【００１８】
１    容器本体
２    導入パイプ
３    導出パイプ
４    セラミックス
５    パンチプレート
６    スパイラル・ブレード
７    ネジ
８    羽
１０  活水器
１２  貯留空間
【図１】
2006181518.tif 000003
【図２】
2006181518.tif 000004
【図３】
2006181518.tif 000005
【図４】
2006181518.tif 000006